(57)【要約】  単一のホッピングチューナを用いた受信が有効である間にＴＦスライシングにおける２つのＴＦフレーム間で別のＲＦチャネルに同調するための時間が存在することを保証するためのシステム及び方法を提供し、共通サービスを送信及び受信するときに端末に対する受信を保証することができる。同調するための付加的な時間が、ＴＦスライス式サービスに導入され、同調するための時間は、Ｐ１＆Ｐ２記号の前又は後のいずれかに挿入することができ、同調時間に対して割り当てられた記号も、低ビットレートサービスの送信のために使用することができる。また、スロット又はスロットの断片が時間シフト時に循環転送境界を超える場合、付加的な埋め込みビット及び保護期間を加えることができる。或いは、同調時間は、完全なＴＦフレームによって表され、完全なＴＦフレームは、サービスが毎秒のＴＦフレーム内で送信され、かつ受信機がサービスを搬送しないＴＦフレーム中に同調を実施することができるように、第１のＴＦフレームにあるもの以外のサービスを搬送する。【選択図】図１
2010538562.tif 000002
【特許請求の範囲】
【請求項１】
各フレームが１つ又はそれよりも多くの無線周波数チャンネルを有する個数ｎの時間−周波数フレームを複数のスロットに分割する段階と、
パイロット信号送信記号の前に同調するための時間の長さに対応する期間を追加する段階、該パイロット信号送信記号の後に同調するための時間の長さに対応する期間を追加する段階、及びｎ番目の時間−周波数フレーム毎にサービスを送信し、同時にｎ番目＋１の時間−周波数フレーム毎に同調するための時間を提供する段階のうちの１つにより、該時間−周波数フレームの少なくとも２つの間に別の無線周波数チャンネルに同調するための時間を提供する段階と、
を含むことを特徴とする方法。
【請求項２】
前記同調するための時間の前記長さに対応する前記期間が前記パイロット信号送信記号の前に追加された場合に、該パイロット信号送信記号は、該同調のための時間中に前記時間−周波数フレーム上で搬送される主要サービスの同期化及びチャンネル推定のうちの少なくとも一方のために利用されることを特徴とする請求項１に記載の方法。
【請求項３】
前記サービスが、前記時間−周波数フレームの全容量を満たさないデータを生成した場合に、生じたオーバーヘッドを除去する段階を更に含むことを特徴とする請求項２に記載の方法。
【請求項４】
前記同調するための時間の前記長さに対応する前記期間が前記パイロット信号送信記号の後に追加された場合に、該パイロット信号送信記号は、該同調するための時間の該長さに対応する該期間中に前記時間−周波数フレーム上で搬送される補助サービスの同期化及びチャンネル推定のうちの少なくとも一方のために利用されることを特徴とする請求項１に記載の方法。
【請求項５】
前記サービスが、前記時間−周波数フレームの全容量を満たさないデータを生成した場合に、生じたオーバーヘッドを除去する段階を更に含むことを特徴とする請求項４に記載の方法。
【請求項６】
ｎ番目の時間−周波数フレーム毎に前記サービスを送信する前記段階は、該時間−周波数フレームの長さを半分にする段階を含むことを特徴とする請求項１に記載の方法。
【請求項７】
循環転送境界を超える前記複数のスロットの少なくとも断片の循環時間シフトを実行する段階を更に含むことを特徴とする請求項１に記載の方法。
【請求項８】
請求項１に記載の処理を実行するように構成されたコンピュータコードを含むコンピュータ可読媒体に具現化されたコンピュータプログラム製品。
【請求項９】
プロセッサと、
前記プロセッサに通信的に接続され、かつ
各フレームが１つ又はそれよりも多くの無線周波数チャンネルを有するいくつかの時間−周波数フレームを複数のスロットに分割するためのコンピュータコード、及び
パイロット信号送信記号の前に同調するための時間の長さに対応する期間を追加する段階、該パイロット信号送信記号の後に同調するための時間の長さに対応する期間を追加する段階、及びｎ番目の時間−周波数フレーム毎にサービスを送信し、同時にｎ番目＋１の時間−周波数フレーム毎に同調するための時間を提供する段階のうちの１つにより、該時間−周波数フレームの少なくとも２つの間に別の無線周波数チャンネルに同調するための時間の長さに対応する期間を提供するためのコンピュータコード、
を含むメモリユニットと、
を含むことを特徴とする装置。
【請求項１０】
前記同調するための時間の前記長さに対応する前記期間が前記パイロット信号送信記号の前に追加された場合に、該パイロット信号送信記号は、該同調のための時間中に前記時間−周波数フレーム上で搬送される主要サービスの同期化及びチャンネル推定のうちの少なくとも一方のために利用されることを特徴とする請求項９に記載の装置。
【請求項１１】
前記メモリユニットは、前記サービスが前記時間−周波数フレームの全容量を満たさないデータを生成した場合に、生じたオーバーヘッドを除去するためのコンピュータコードを更に含むことを特徴とする請求項１０に記載の装置。
【請求項１２】
前記同調するための時間の前記長さに対応する前記期間が前記パイロット信号送信記号の後に追加された場合に、該パイロット信号送信記号は、該同調するための時間中に前記時間−周波数フレーム上で搬送される補助サービスの同期化及びチャンネル推定のうちの少なくとも一方のために利用されることを特徴とする請求項９に記載の装置。
【請求項１３】
前記メモリユニットは、前記サービスが前記時間−周波数フレームの全容量を満たさないデータを生成した場合に、生じたオーバーヘッドを除去する段階を更に含むことを特徴とする請求項１２に記載の装置。
【請求項１４】
ｎ番目の時間−周波数フレーム毎に前記サービスを送信する前記段階は、該時間−周波数フレームの長さを半分にする段階を含むことを特徴とする請求項９に記載の装置。
【請求項１５】
前記メモリユニットは、循環転送境界を超える前記複数のスロットの少なくとも断片の循環時間シフトを実行するためのコンピュータコードを更に含むことを特徴とする請求項９に記載の装置。
【請求項１６】
各フレームが１つ又はそれよりも多くの無線周波数チャンネルを有するいくつかの時間−周波数フレームを複数のスロットに分割するための手段と、
パイロット信号送信記号の前に同調するための時間の長さに対応する期間を追加する段階、該パイロット信号送信記号の後に同調するための時間の長さに対応する期間を追加する段階、及びｎ番目の時間−周波数フレーム毎にサービスを送信し、同時にｎ番目＋１の時間−周波数フレーム毎に同調するための時間を提供する段階のうちの１つにより、該時間−周波数フレームの少なくとも２つの間に別の無線周波数チャンネルに同調するための時間の長さに対応する期間を提供するための手段と、
を含むことを特徴とする装置。
【発明の詳細な説明】
【技術分野】
【０００１】
本発明は、一般的に送信システムにおけるデータの転送に関する。より詳細には、本発明は、いくつかの無線周波数（ＲＦ）チャネルを網羅する多重送信のためのサービスのスケジューリングに関する。
【背景技術】
【０００２】
この節は、特許請求の範囲に列挙する本発明に対する背景又は脈絡を提供するように意図するものである。本明細書の説明は、求めることができる概念を含むことができるが、必ずしも以前に考えられた又は追求されたものではない。したがって、本明細書に特に断らない限り、この節に説明することは、本出願の説明及び特許請求の範囲に対する従来技術ではなく、この節に含めることによって従来技術と認めるものではない。
【０００３】
デジタル広帯域放送ネットワークは、エンドユーザがビデオ、オーディオ、データなどを含むデジタルコンテンツを受信することを可能にする。ユーザは、携帯端末を使用して無線デジタル放送ネットワーク上でデジタルコンテンツを受信することができる。
【０００４】
放送システムにおける無線送信チャネルの容量は、例えば、時分割多重化（ＴＤＭ）を使用することによって異なるサービス間で分割することができる。各サービスは、ＴＤＭフレームにおけるスロットを予定し、これは、固定ビットレートをもたらす。図１は、各ＴＦフレーム１００及び１１０が、４つの部分、すなわち、各ＲＦチャネル（ＲＦ１、ＲＦ２、ＲＦ３、及びＲＦ４として識別される）に対して１つに分割される時間−周波数（ＴＦ）スライシングを示している。すなわち、固定ＴＤＭフレームの容量は、データ送信に対する物理的なチャネル間で動的に分割することができる。物理的チャネルは、フレームからの指定されたスロットを予定するＴＤＭチャネルであり、１つの物理的チャネルは、１つ又はそれよりも多くの論理チャネルを担持することができる。異なるＲＦチャネルにおけるある一定の物理的チャネルのスロットの間には、時間シフトがなければならない。それによって１つのチューナを有する受信機の使用が可能になり、その理由は、受信機が、こうして次のスロットを受け取る前に新しい周波数に同調する時間があるからである。ＲＦチャネルの数は、様々な実施形態において、ＮRF＝２、３、４、５、６、又はそれよりも多いとすることができる。使用されるＲＦチャネルが互いに隣接する必要がないことに注意すべきである。
【０００５】
そのような時間−周波数（ＴＦ）スライシングを使用して、提供されているサービスの全てにわたってビットレート変動が平均化され、それによって全体のビットレート変動の減少及び無駄になる容量の低減がもたらされる。従来のシステム及び方法によるＴＦスライシングでは、いくつかのＲＦチャネルは、問題のＴＤＭフレームのサイズを大きくし、かつチャネルの全てにわたってサービスを多重化するために使用される。提供されるサービスの数は、ＲＦチャネルの数に比例して増加し、統計的多重化利得の増加をもたらす。この構成は、チャネル符号化の拡張及び利用可能なＲＦチャネルの全てにわたるインターリービングによって周波数ダイバーシティも提供する。
【０００６】
問題は、単一のホッピングチューナを用いた受信を有効にすべきという要件に関連して、ＴＦスライシングにおける２つのＴＦフレーム間で別のＲＦチャネルに同調するための時間の保証が望ましいときに生じる。ＴＦフレーム間の同調時間を要求しながらのＴＦスケジューラーにおけるスロット割り当ての問題は、以前に提案されたＴＦスライシングのためのスケジューリング概念に関連して以下に説明する。全てのサービスのスロットサイズＸi／ＮRFは、ＴＦフレームにおける各ＲＦ周波数に割り当てられる。Ｘiは、現在のＴＦフレームにおけるサービスｉのデータを搬送するのに必要とされる直交周波数分割多重化（ＯＦＤＭ）セルの量を意味することができ、ＮFRは、ＲＦ周波数の数を意味することができる。
【０００７】
スロットは、シフトさせることができ、ここで、そのシフトは、時間−周波数フレーム長（ＴF）を割り当てＲＦチャネルの数（ＮRF）で除した値であり、すなわち、
ｓｈｉｆｔ＝ＴF／ＮRF
である。換言すれば、スロットは、互いに対してシフトされ、Ｘi／ＮRFに対するその上限は、ｍａｘ＿ｓ１ｏｔ＿１ｅｎｇｔｈ＝ｓｈｉｆｔ−Ｔtumngである。ＴFは、ＯＦＤＭ記号におけるＴＦフレームの長さを説明し、Ｔtuningは、受信機が別のＲＦチャネルに変えるためにかかる時間である。スロットは、図１のＴＦフレーム１００におけるＲＦ３とＴＦフレーム１１０におけるＲＦ４とに関連して示したように、１つのＲＦ上で分割することができ、その場合、ＮRF＝４である。
【０００８】
しかし、この形式のスケジューリングは、サービスビットレートに対して制限がなにも設定されていない状況では、１つのチューナを用いた受信を保証するためには十分でない。例えば、スケジューリングは、パイロット記号信号送信の受信の前又は後に十分な同調時間が存在しないスロット割り当てをもたらすことがある。図１に関連して、全てのＴＦフレームに先行するパイロット記号Ｐ１及びＰ２（Ｐ１＆Ｐ２）は、Ａｕｒａｎｅｎ他に付与された「ＤＶＢ−Ｈ２サービス発見周波数領域相関」という名称の米国特許出願出願番号ＵＳ１１／６８６、６３６に説明されていることに注意すべきである。
【発明の概要】
【発明が解決しようとする課題】
【０００９】
１つのチューナ受信に対するスロット割り当ての従来の規則は、以下のように要約することができることに注意すべきである。現在のＴＦフレームの最後のスロット及び次のＴＦフレームの第１のスロットが異なるＲＦチャネル上にあり、かつＰ１＆Ｐ２信号送信する前に同調するための十分な時間がない場合、同調するための時間は、Ｐ１＆Ｐ２信号送信の後に予定すべきである。更に、スロットが現在のＴＦフレームにおける１つのＲＦ上で分割される場合、同じサービスを搬送するスロットは、次のＴＦフレームにおける別のＲＦ上で分割することができない。割り当てが不正な場合、スケジューラーは、例えば、何らかのサービススロットを切り換える方法を実施すべきであろう。従来のＴＦフレームにおける殆ど全てのサービス割り当てが、次のＴＦフレームにおける割り当てについて何らかの制限を設定するので、スロット割り当てスケジューリングは、送信機が全てのサービス及びサービスの群又はＰＬＰ（物理層パイプ）に対して受信機試験を実施する必要がある非常に複雑な処理になる。
【００１０】
別の問題は、オーディオ及びビデオサービスと並行して「共通サービス部分」（例えば、文字多重放送）を受信する必要がある場合に発生する。従来は、これは、最適な方法で保証することはできなかった。
【００１１】
「デジタルビデオ放送−地上」システム（ＤＶＢ−Ｔ）の関連では、上述の問題に対する解決法は何も提案されていないが、低ビットレートサービスの目的に対する予備容量の利用は、Ｈｅｎｒｉｋｓｓｏｎ他に付与された「ＤＶＢ−Ｔ２Ｈ２低ビットレートサービス」という名称の米国特許出願出願番号第１１／６８６、６６１号で考慮されている。他の関連システム及び方法は、Ｖｅｓｍａ他に付与された「変動ビットレートサービスのための共通レート適合スロット」という名称の米国特許出願出願番号ＵＳ１１／６８６、６２８、及びＶａｒｅ他に付与された「ＤＶＢ−Ｔ２Ｍにおける最善努力式サービスのためのビット連発プロトコルの使用」という名称の米国特許出願出願番号第１１／７４８、８８９号に説明されている。
【課題を解決するための手段】
【００１２】
様々な実施形態は、単一のホッピングチューナを用いた受信が有効である間にＴＦスライシングにおける２つのＴＦフレーム間で別のＲＦチャネルに同調するための時間が存在することを保証するためのシステム及び方法を提供し、共通サービスを送信及び受信するときに端末に対する受信を保証することができる。同調するための付加的な時間が、ＴＦスライス式サービスに対して導入され、同調するための時間は、Ｐ１＆Ｐ２記号の前又は後のいずれかに挿入することができ、同調時間に対して割り当てられた記号も、低ビットレートサービスの送信のために使用することができる。代替的に、スロット又はスロットの断片が時間シフトときに循環転送境界を超える場合は、付加的な埋め込みビット及び保護期間を加えることができる。更に代替的に、同調時間は、完全なＴＦフレームによって表され、完全なＴＦフレームは、サービスが毎秒のＴＦフレーム内で送信され、かつ受信機がサービスを搬送しないＴＦフレーム中に同調を実施することができるように、第１のＴＦフレームにあるもの以外のサービスを搬送する。
【００１３】
同調時間がＰ１＆Ｐ２信号送信記号の前又は後に追加されるときには、同調のための十分な時間は、ＴＦスライス式サービスを受信するときに一般的にいつでも提供することができる。更に、単純なスケジューリングを達成することができ、サービスのビットレート変動に対するいかなる制限も必ずしも必要とされない。更に、あらゆるＴＦフレームに対する埋め込みの動的な解除がそうであるように、１つ又はいくつかのＲＦ上の非ＴＦスライス式サービスの送信が有効にされる。サービスが毎秒で／他のＴＦフレームで送信されるときに、同調するための十分な時間も、ＴＦスライス式サービスを受信するときに同じく一般的に保証される。ここでもまた、オーバーヘッドが生じない間にそのような実施形態で単純なスケジューリングを達成することができ、Ｐ１＆Ｐ２の強固さ（ＴＦフレーム長が変わらない場合）を増大させることができる。
【００１４】
これら及び他の特徴は、その作動の編成及び方式と共に、以下に記載したいくつかの図面を通して同様の要素が同様の番号を有する添付図面と共に以下の詳細説明から明らかになるであろう。
【図面の簡単な説明】
【００１５】
【図１】２つのＴＦフレーム間のサービスの不正スロット割り当ての図である。
【図２】本発明の様々な実施形態によるＰ１及びＰ２信号送信前のＴＦスライス式サービスの同調時間の挿入を示すＴＦフレームの各部分の図である。
【図３】同調時間及び低ビットレート用途スロットを利用する原理を示すＴＦフレームの図である。
【図４】本発明の様々な実施形態によるＴＦフレームにおける埋め込み除去を示す図である。
【図５】本発明の様々な実施形態によるＴＦフレームにおける埋め込み除去のスケジューラー手順を示す流れ図である。
【図６】本発明の一実施形態による異なるサイズのサービススロットに分割されたＴＦフレームを示す図である。
【図７】図６の実施形態によるＴＦフレームの各ＲＦチャネルに対して均等に分割されたスロットを示す図である。
【図８】図６の実施形態によるＲＦチャネル間の時間シフトを示す図である。
【図９】図６の実施形態によるスロット及び／又はスロット断片の循環シフトを示す図である。
【図１０】図６の実施形態による埋め込みが追加された後の保護期間の追加を示す図である。
【図１１】従来技術の信号送信窓と本発明の様々な実施形態により利用される信号送信窓との比較を示すＴＦフレームの図である。
【図１２】本発明の一実施形態による文字多重放送サービスの送信及び同調時間中の更新及び低ビットレート用途スロットの実施を示す図である。
【図１３】本発明の一実施形態によるＴＦスライス式サービス（左側）及び従来のＴＦスライス式サービス（右側）のための同調時間に置かれた補助サービスのためのスロット割り当ての利用を示す図である。
【図１４】本発明の様々な実施形態によるＴＦスライス及び／又は非ＴＦスライス式サービスの様々な部分の割り当てを示す図である。
【図１５】本発明の様々な実施形態を実施することができるシステムの概観図である。
【図１６】本発明の様々な実施形態の実施と共に使用することができる電子デバイスの斜視図である。
【図１７】図１１の電子デバイスに含めることができる回路の回路図である。
【発明を実施するための形態】
【００１６】
様々な実施形態は、ＴＦスライスにおける２つのＴＦフレーム間で別のＲＦチャネルに同調するための時間が、単一ホッピングチューナを用いた受信が有効である間に存在することを保証するためのシステム及び方法を提供する。更に、様々な実施形態は、端末に対して受信が保証されるような方法で共通サービスを送信及び受信するための最適化されたシステム及び方法を提供する。一実施形態によれば、同調するための時間をＰ１＆Ｐ２記号の前か後のいずれかに挿入することができる位置に、ＴＦスライス式サービスに対する同調のための付加的な時間が導入される。同調時間のために割り当てられた記号は、低ビットレートサービスを送信するのにも使用することができる。別の実施形態によれば、時間シフト中にスロット又はスロットの断片が循環転送境界を超える場合は、付加的な埋め込みビット及び保護期間を加えることができる。更に別の実施形態によれば、同調時間は、完全なＴＦフレームによって表され、完全なＴＦフレームは、第１のＴＦフレームにあるもの以外のサービスを搬送する。換言すれば、サービスは、毎秒のＴＦフレームで送信され、受信機は、サービスを搬送しないＴＦフレーム中に同調を実施することができる。
【００１７】
図１に示すような単純なスロット割り当てアルゴリズムを実行可能にするために、同調時間の長さの付加的な時間スロット／期間は、信号送信記号Ｐ１＆Ｐ２の前又は後で全ての周波数に追加することができる。図２及び図３は、Ｐ１＆Ｐ２信号送信記号の後で及びＴＦフレーム１００と１１０の間で同調期間２００のこの追加をより詳細に示している。そのような追加スロットは、余剰ではなく、むしろ、例えば、無線又は補助サービス（文字多重放送など）のような低ビットレートサービスで満たすことができることに注意すべきである。Ｐ１＆Ｐ２ストリングの各々は、１つの記号が持続する２つよりも多くのパイロットが存在する場合に、「パイロット信号送信」で置換することができることを更に注意すべきである。
【００１８】
同調期間２００がＰ１＆Ｐ２記号の後に挿入される場合、信号送信記号Ｐ１＆Ｐ２は、同調時間中に搬送される補助サービスによって同期化及びチャネル推定のために使用することができる。同調期間２００がＰ１＆Ｐ２記号の前に挿入される場合、次の節で説明するように、埋め込みの除去との組合せで利点が提供される。この場合、Ｐ１＆Ｐ２信号送信記号は、主要サービスによって同期化及びチャネル推定のために使用することができる。
【００１９】
サービスが、ＴＦフレームにおける容量を満たすことができる容量よりも少ないデータを発生させる場合、オーバーヘッドが発生する可能性があり、特定の記号がダミーデータで満たされる。例えば、図１に示す記号２０は、そのようなダミーデータを搬送することができる。これらのダミー記号は、ＴＦフレームの端部に強制的に押され、そのような記号は、図４のＴＦフレーム１００及び１１０の最も左及び中央の図に示すように、例えば、同調時間中に搬送されるサービスに割り当てられる追加容量として使用することができる。Ｐ１＆Ｐ２信号送信記号の前に追加されている図４に示す同調期間２００（保護期間とも呼ばれる）は、特定的な実施形態では一定かつＴtuningに等しくすることができることに注意すべきである。したがって、この一実施形態の実施は、Ｐ１＆Ｐ２記号の信号送信の間の時間（ＴＦフレーム長＋保護期間）を一定に保つのに対して、時間シフトは、必ずしも一定にする必要はないであろう。
【００２０】
代替的に、ＴＦフレーム１００の２つの最も右の図と図４の１００とに示すように、スライス式サービスの最後の記号とＰ１＆Ｐ２との間の時間が同調時間と等しくなるように同調時間２００の一部としてダミー信号送信を利用することができ、ここでもまた、同調期間２００は、一定であり、かつＴtuningに等しい。これは、Ｐ１＆Ｐ２の信号送信の間の時間（ＴＦフレーム長＋保護期間）と時間シフトの両方の変動を引き起こす。ダミー記号をＴＦフレームの端部に移動させた後の新しいシフト（ｓｈｉｆｔnew）は、ｓｈｉｆｔnew＝（ＴF−ＴP）／ＮRFとして実施形態において計算することができ、ここで、ＴPは、図４に示すダミー記号の持続時間である。
【００２１】
いずれの代替案も、埋め込みの除去、すなわち、オーバーヘッド／ダミー記号の除去をもたらすことに注意すべきである。図５は、そのような埋め込みの除去処理に関わる様々な操作を示している。そのような特徴を達成するために、より多くの又は少ない操作を実施することができることに注意すべきである。５００において、サービスデータが受信される。５１０において、ＴＦフレームがＴＦスライススロットに分割され、ＴＦスライススロットには、サービスデータが満たされる。５２０において全体のＴＦフレームが満たされたか否かが判断される。全体のＴＦフレームが満たされた場合、５３０において同調時間スロットにサービスが満たされる。５４０において全体のＴＦフレームが満たされなかった場合、上述のようにかつ図４に示すように埋め込みが除去される。同調時間スロットが満たされるか又は埋め込みがそこから除去された場合、５５０において信号送信が行われる。
【００２２】
更に別の代替案は、異なるサービスに割り当てられたＴＦフレームにおけるスロットが異なるサイズのものであるときに、保護期間を追加することによって循環転送の境界を超えるスロットを処理することを含む。異なるサービスに割り当てられたフレームは、サイズが異なる。図６は、各サービスに対して１つの各スロットに分割されるＴＦフレーム６００を示している。スロットのサイズは、サービスのビットレートによって判断することができる。したがって、スロットサイズは、ビットレート変動に基づいて、フレームのサイズ自体は固定したままでフレーム毎に変更することができる。全体のフレームを満たすための十分なサービスデータがない場合には、フレームの残りの部分は、埋め込みビット６１０で満たされる。
【００２３】
図７は、ＴＦフレーム６００におけるＲＦチャネルＲ１、Ｒ２、Ｒ３、及びＲ４の各々にわたるスロットの等しい分割を示している。図８は、フレーム持続時間ＴF、埋め込み持続時間ＴP、及びＲＦチャネルの数ＮRFによって時間シフトが判断される、ＲＦチャネル間で実施される時間シフトを示している。この場合、ＲＦ２のスロット７〜９、ＲＦ３のスロット４〜９、及びＲＦ４のスロット２〜９は、循環転送８００の境界を超える。付加的な埋め込み６１０が時間シフト操作に含められないことに注意すべきである。図９に示すように、循環転送８００の境界を超えるそれらのスロット又はスロットの断片は、ＴＦフレームの最初に向けて循環的にシフトする。付加的な埋め込み６１０は、ＴＦフレーム６００の最後に残っている。図１０は、追加された埋め込み６１０の後のＴＦフレーム６００への保護期間１０００の追加を示している。
【００２４】
別の実施形態によれば、サービスは、毎秒又は毎ｎ番目のＴＦフレームで送信することができる。２０のサービス（それよりも多いか又は少ないサービスが可能であるが）が送信されるものと仮定することができ、かつサービス１〜１０とサービス１１〜２０との全体の（合計された）容量は、ほぼ等しい。サービス１〜１０が奇数ＴＦフレーム（例えば、ＴＦフレーム１、３、５など）毎に送信される場合、同調及びデータ処理の時間は、偶数ＴＦフレーム（例えば、ＴＦフレーム２、４、６など）毎に存在する。したがって、サービス１１〜２０は、偶数ＴＦフレームに送信され、奇数ＴＦフレーム毎に同調及びデータ処理の時間がある。毎秒のＴＦフレームのサービスの送信を少なくとも２つの方法で行うことができることに注意すべきである。換言すれば、あたかもＴＦフレーム毎にサービスを送信するようにＴＦフレームが同じサイズになるか、又はＴＦフレーム長が半分になるかのいずれかである。
【００２５】
毎秒のＴＦ時間のサービスを送信する更に別の利点は、スケジューリングが簡単になる以外に、より強固な信号送信（すなわち、Ｐ１＆Ｐ２）である。これは、ＴＦフレームが同じに保たれる場合、サービスをＴＦフレーム毎に送信する時と比較してオーバーヘッドが生じないためである。
【００２６】
全部で２０のサービスがＴＦフレーム毎に送信されるシナリオでは、ダイナミック層１の信号送信が、あらゆるスロットの開始と長さを含む。換言すれば、２０フィールドが全て開始に対して存在し、２０フィールドが長さに対して存在する。この手順のための信号送信窓は、図１１の右への矢印で示している。信号送信窓は、従来、サービスデータの次の部分の受信を開始する前に受信機が信号送信情報を処理し、必要に応じて別のＲＦに同調することを可能にするのに使用される。
【００２７】
サービス１〜１０が奇数ＴＦフレームで送信されると仮定すれば、例え信号送信するデータの量が依然として２０の開始かつ２０の長さであっても、ダイナミック層１の信号送信が代わりに２つのＴＦフレームを収容することができる。したがって、ＴＦフレーム毎のスロット割り当ては、２度信号送信される。簡単にするために、信号送信オフセットを無視して、１つのＰ２スロットが１つのＴＦフレームにおける信号送信を搬送するものと仮定すれば、Ｐ１＆Ｐ２（Ｂ）は、ＴＦフレーム３、４のための信号送信を搬送する。Ｐ１＆Ｐ２（Ｃ）は、図１１で左への矢印を用いて示したように、ＴＦフレーム４及び５のための信号送信を搬送する。
【００２８】
上述のように、一実施形態による同調時間記号の容量は、余剰ではない。例えば、それは、図１２に示すような文字多重放送などの補助サービス、ＤＶＢ−Ｔ２Ｍのための手持ち式受信の低ビットレートサービス、無線サービス、ファイル回転トレー、ソフトウエア更新、オーソリティチャネル（緊急警報）、Ｐ１記号が非常に短く（２Ｋ）なる場合に記号を反復するか又はより長いＰ１記号（例えば、８Ｋ）を使用してより頑強なものを提供することができる保護期間Ｐ１、及び信号送信のうちの１つ又は組合せで満たすことができると考えられる。
【００２９】
更に、必要に応じて、上述のサービスに割り当てられた時間は、通常のＴＦスライス式サービスの同調時間よりも長くすることができる。換言すれば、１つのサービスのためのスロット割り当ては、以下でより詳細に説明するように、図１４に示すＴＦスライス又は非ＴＦスライスのいずれでも、ＴＦフレームあたり１つ又はいくつかのスロットとすることができる。
【００３０】
図１２は、一例として文字多重放送サービスの送信及び更新を利用している実施形態の実施を示している。この実施形態では、「１日目」の「主アプリケーションデータ」１２００は、時間が経てば起こることになる更新をしていない「文字多重放送アプリケーション」を表す。「２日目」の始まりに示す主アプリケーションデータ１２００’は、「１日目」中に処理された更新の全てに加えて、「１日目」の主アプリケーションデータ１２００、すなわち、「２日目」中に常に行われる更新の始点として使用される文字多重放送の「最終バージョン」である。図１２に示すように、主アプリケーションデータ１２００及び１２００’は、いくつかの塊で送信され、次に、時間が経てば「回転トレーに入れる」ことができる。
【００３１】
アプリケーション更新は、次に、時間が経てばサイズが大きくなる、すなわち、各アプリケーション更新が「その日」の始まりから更新された情報の全てを含んだ塊で送信される。図１２は、アプリケーション更新のこれらの百分率の増加１２１０を示している。最終的に、「１日目」の主アプリケーションデータ１２００に合計された「１日目」の更新の融合したものが、「２日目」の主アプリケーションデータ１２００’に対するベースとして使用されることになる。更に、期限切れになった情報は、いつでも主アプリケーションデータ７００’から削減することができる。
【００３２】
同調時間は、８Ｋの高速フーリエ変換（ＦＦＴ）サイズ及び１／８の保護間隔で約５ＯＦＤＭ記号に対応する約５ｍｓと推定することができる（様々な実施形態によって異なる時間を利用することができるが）。保護間隔を含む１ＯＦＤＭ記号持続時間は、（１＋（１／８））*８９６μｓ＝１ｍｓとすることができ、８Ｋに対して記号持続時間＝８９６μｓである。したがって、長さ２００ｍｓのＴＦフレームは、容量の２．５％という結果になる。例えば、ＯＦＤＭ記号あたり６０４８データ搬送の８Ｋシステム（ＤＶＢ−Ｔと同様）及び２００ｍｓのＴＦフレーム長では、各ＲＦ上で変調及び２５６−ＱＡＭ１／２又は６４−ＱＡＭ２／３のコードレートを伴う約６００ｋｂ／ｓの容量が提供される。これは、例えば、ＲＦチャネルあたり４つの１５０ｋｂ／ｓ無線チャネルの輸送を可能にするという結果になる。
【００３３】
図１３は、一実施形態による補助サービス１３００及びＴＦスライス式サービス１３１０に対するスロット割り当てを示している。左側の補助サービス１３００には、非ホッピングチューナを用いた受信を有効にするために同じＲＦ上のスロットを割り当てることもできる。サービスは、したがって、いくつかのスロットにわたって、例えば、いくつかのＴＦフレーム内で送信されたデータにわたって符号化、保護、及びインターリーブすることができる。
【００３４】
更に別の実施形態では、図１４は、同調時間中にスロットを割り当てられた補助（又はその他の）サービスに対する割り当ては、ＴＦスライス式サービスに対する単に同調時間ではなく、むしろＴＦフレームにおけるより大きな部分にわたって割り当てることができることを明らかにしている。換言すれば、部分２（図１４に１４００と示した）の長さ≧Ｔtuningを可能にすることによってシステムに大幅な柔軟性を提供することができる。１つだけのＲＦチャネルにサービスを割り当てることも可能であり、非ホッピングチューナ（ＤＶＢ−Ｔのような）を用いた受信が有効になる。更に、部分２中にＴＦスライス式サービスを提供することが可能である。ＴＦフレームにおける部分１（図１４に１４１０と示した）及び部分２の位置が固定されないことに注意すべきである。したがって、ＴＦフレームは、部分１、例えば、ＴＦスライス式サービス、部分２、例えば、場合によってはＴＦスライス式サービスと組み合わせられた非ＴＦスライス式サービス、及びＰ１＆Ｐ２信号送信の３つの種類の成分から成る。これらの３つの部分は、互いに対してあらゆる方法で配置することができる。
【００３５】
更に、部分２のサービスは、低ビットレートサービスとする必要がなく、あらゆる形式のサービスとすることができる。様々な実施形態によれば、ＴＦスライス式サービスに対して２つの異なる部分を有することも可能であり、それらの間に信号送信がなくてもＴＦフレームの２つの異なる部分が異なるＴＦスライス式サービス、例えば、Ｐ１＆Ｐ２＋部分１＋部分１、Ｐ１＆Ｐ２＋．．．を搬送する状況をもたらす。
【００３６】
非ＴＦスライス式サービスを割り当てることは、より動的なＬ１信号送信を必要とすることに注意すべきである。換言すれば、図１４の部分１と部分２の間の境界は、信号送信すべきである。更に、部分２で行われる割り当てサービスが動的な方法で実施される場合、付加的な信号送信も必要である。
【００３７】
様々な実施形態では、同調時間がＰ１＆Ｐ２信号送信記号の前又は後に追加される場合、ＴＦスライス式サービスを受信するときに同調のための十分な時間をほぼいつでも提供することができる。更に、単純なスケジューリングを達成することができ、サービスのビットレート変動の規制が必ずしも必要とされない。更に、埋め込み又は全てのＴＦフレームにおける動的除去のような１つ又はいくつかのＲＦ上の非スライス式サービスの送信が有効にされる。
【００３８】
毎秒／その他のＴＦフレームでサービスが送信される様々な実施形態に関して、ＴＦスライス式サービスを受信するときに同調のための十分な時間もほぼ保証される。ここでもまた、オーバーヘッドが生じず、かつＰ１＆Ｐ２の強固さ（ＴＦフレーム長が変わらない場合）を増強することができる間に、そのような実施形態で単純なスケジューリングを達成することができる。
【００３９】
例示として、図１５に示すシステム１０は、携帯電話ネットワーク１１及び「インターネット」２８を含む。「インターネット」２８に対する接続性は、以下に限定されるものではないが、長距離無線接続、短距離無線接続、及び以下に限定されるものではないが、電話回線、ケーブル回線、電力回線などを含む様々な有線接続を含むことができる。システム１０の例示的な通信デバイスは、以下に限定されるものではないが、携帯デバイス１２、ＰＤＡ及び携帯電話の組合せ１４、ＰＤＡ１６、一体型メッセージングデバイス（ＩＭＤ）１８、デスクトップコンピュータ２１、及びノートブックコンピュータ２２を含むことができる。そのようなデバイスには、上述の２進データを変換するためにＯＢＥＸを利用することができる。通信デバイスは、固定式か、又は移動している個人が携帯するときには移動式にすることができる。通信デバイスはまた、以下に限定されるものではないが、自動車、トラック、タクシー、バス、船舶、航空機、自転車、オートバイなどを含む輸送手段内に配置することができる。通信デバイスの一部又は全部は、電話及びメッセージを送受信し、基地局２４の無線接続２５を通じてサービスプロバイダと通信することができる。基地局２４は、携帯電話ネットワーク１１と「インターネット」２８の間の通信を可能にするネットワークサーバ２６に接続することができる。システム１０は、付加的な通信デバイス及び異なる形式の通信デバイスを含むことができる。
【００４０】
通信デバイスは、以下に限定されるものではないが、「符号分割多元接続（ＣＤＭＡ）」、「地球規模移動通信システム（ＧＳＭ）」、「ユニバーサル移動電話システム（ＵＭＴＳ）」、「時分割多元接続（ＴＤＭＡ）」、「周波数分割多元接続（ＦＤＭＡ）」、「伝送制御プロトコル／インターネットプロトコル（ＴＣＰ／ＩＰ）」、「ショートメッセージサービス（ＩＭＳ）」、「マルチメディアメッセージングサービス（ＭＭＳ）」、電子メール、「インスタントメッセージシステム（ＩＭＳ）」、Ｂ１ｕｅｔｏｏｔｈ、「ＩＥＥＥ  ８０２．１１」などを含む様々な送信技術を使用して通信することができる。通信デバイスは、以下に限定されるものではないが、無線、赤外線、レーザ、及びケーブル接続などを含む様々な媒体を使用して通信することができる。
【００４１】
図１６及び１７は、本発明をそこに実施することができる１つの代表的な携帯デバイス１２を示している。しかし、本発明を１つの特定形式の電子デバイスに限定するように意図していないことを理解すべきである。図１６及び１７の携帯デバイス１２は、ハウジング３０、液晶ディスプレイ形式のディスプレイ３２、キーパッド３４、マイクロホン３６、イヤピース３８、バッテリ４０、赤外線ポート４２、アンテナ４４、本発明の一実施形態によるＵＩＣＣ形式のスマートカード４６、カード読取器４８、無線インタフェース回路５２、コーデック回路５４、コントローラ５６、及びメモリ５８を含む。個々の回路及び要素は、例えば、携帯電話のＮｏｋｉａの範囲の当業技術で全て公知の形式である。
【００４２】
本明細書で説明した本発明の様々な実施形態は、方法段階又は処理の一般的な関連で説明したものであり、それらは、プログラムコードのようなコンピュータ実行可能命令を含むコンピュータ可読媒体に具現化され、ネットワーク化された環境でコンピュータによって実行されるコンピュータプログラム製品によって一実施形態において実施することができる。一般的に、プログラムモジュールは、特定のタスクを実施するか又は特定の抽象データ型を実施するルーチン、プログラム、オブジェクト、構成要素、データ構造などを含むことができる。コンピュータ実行可能命令、関連データ構造、及びプログラムモジュールは、本明細書に開示した方法の実行段階のためのプログラムコードの例を代表するものである。そのような実行可能命令又は関連データ構造の特定のシーケンスは、そのような段階又は処理において説明した機能を実施するための対応する行為の例を代表するものである。
【００４３】
本発明の様々な実施形態のソフトウエア及びウェブへの実施は、様々なデータベース検索段階又は処理、相関段階又は処理、比較段階又は処理、及び判断段階又は処理を達成する規則ベースの論理又は他の論理を用いた標準のプログラミング技術で達成することができる。本明細書と以下の特許請求の範囲で使用される用語「構成要素」及び「モジュール」は、ソフトウエアコード、及び／又はハードウエア実施、及び／又は手動入力を受け取るための機器の１つ又はそれよりも多くのラインを使用した実施を含むように意図していることに注意すべきである。
【００４４】
以上の実施形態の説明は、例示及び説明目的のために呈示したものである。以上の説明は、網羅的であるように又は本発明の実施形態を開示した正確な形態に制限するように意図されているわけではなく、修正及び変形が、以上の教示に照らして可能であり、又は本発明の様々な実施形態の実施から得ることができる。本明細書で説明した実施形態は、当業者が様々な実施形態において及び考えられる特定の用途に適するように様々な修正を行って本発明を利用することができるように、本発明の様々な実施形態の原理及び性質とその実際的な応用とを説明するために選択かつ説明したものである。
【図１】
2010538562.tif 000003
【図２】
2010538562.tif 000004
【図３】
2010538562.tif 000005
【図４】
2010538562.tif 000006
【図５】
2010538562.tif 000007
【図６】
2010538562.tif 000008
【図７】
2010538562.tif 000009
【図８】
2010538562.tif 000010
【図９】
2010538562.tif 000011
【図１０】
2010538562.tif 000012
【図１１】
2010538562.tif 000013
【図１２】
2010538562.tif 000014
【図１３】
2010538562.tif 000015
【図１４】
2010538562.tif 000016
【図１５】
2010538562.tif 000017
【図１６】
2010538562.tif 000018
【図１７】
2010538562.tif 000019
【国際調査報告】
2010538562.tif 000020
2010538562.tif 000021